(57)【要約】【課題】レンズユニットの脚部の端部を、半導体レーザを支持する基部に対して接着したときに、接着強度のバラツキを抑制して安定した取り付けを確保できるレンズユニット及びそれを用いた半導体モジュールを提供する。【解決手段】脚部ＬＧに設けた当接平面ＥＤ１がステム部ＳＴの平面ＦＰに当接したときに、外周面取り部ＥＤ３が、平面ＦＰとの間で、塗布された接着剤の厚みのバラツキを所定範囲内に設定する接着剤厚み制御手段として機能するので、これにより接着剤の厚みを略一定に設定でき、脚部ＬＧとステム部ＳＴとの安定した接着強度を確保できるのである。【選択図】図１
2013207189.tif 000002
【特許請求の範囲】
【請求項１】
半導体レーザから出射された光束を収束光又は平行光に変換する為の光通信用のレンズユニットであって、
前記レンズユニットは、一体成形されたプラスチック製であり、
前記レンズユニットは、
前記半導体レーザから出射された光束を収束光又は平行光に変換するレンズ部と、
前記レンズ部を保持する脚部とを有し、
前記脚部は、前記半導体レーザを支持する基部に対して、前記脚部の端部の少なくとも一部が接着剤により接着されるものであり、
前記脚部には、前記接着剤が前記脚部から前記レンズ部側に回り込まないように阻止する阻止部を設けていることを特徴とするレンズユニット。
【請求項２】
前記阻止部は、前記端部側に設けられていることを特徴とする請求項１に記載のレンズユニット。
【請求項３】
前記脚部は前記レンズ部全周に設けられた筒状の形状を有しており、前記阻止部は、前記脚部の全周に設けられていることを特徴とする請求項１または２に記載のレンズユニット。
【請求項４】
前記阻止部は、前記端部に設けられた面取り部であることを特徴とする請求項３に記載のレンズユニット。
【請求項５】
前記阻止部は、前記端部より前記レンズ部側であって前記脚部の内周側に設けられた段部であることを特徴とする請求項１〜４のいずれかに記載のレンズユニット。
【請求項６】
前記段部は、前記脚部の内周に対して鋭角で交差していることを特徴とする請求項５に記載のレンズユニット。
【請求項７】
前記阻止部は、前記脚部の前記レンズ部近傍に設けられていることを特徴とする請求項１に記載のレンズユニット。
【請求項８】
前記阻止部は、前記脚部における前記レンズ部との境界付近に設けられた段部であることを特徴とする請求項７に記載のレンズユニット。
【請求項９】
前記阻止部は、前記脚部における前記レンズ部との境界付近に設けられた環状の壁部であることを特徴とする請求項７に記載のレンズユニット。
【請求項１０】
前記脚部は前記レンズ部周辺から光軸方向に延在された複数の突起部であることを特徴とする請求項1または２に記載のレンズユニット。
【請求項１１】
前記レンズユニットは、ポリオレフィン系樹脂から形成されていることを特徴とする請求項１〜１０のいずれかに記載のレンズユニット。
【請求項１２】
前記レンズユニットの前記脚部の少なくとも一部には、前記レンズ部と同じ材料のコートが付与されていることを特徴とする請求項１〜１１のいずれかに記載のレンズユニット。
【請求項１３】
前記レンズユニットと前記基部との間に不活性ガスが封入されていることを特徴とする請求項１〜１２のいずれかに記載のレンズユニット。
【請求項１４】
請求項１〜１３のいずれかに記載の光通信用のレンズユニットと、半導体レーザを一体的に組み付けてなることを特徴とする半導体モジュール。
【請求項１５】
前記接着剤の粘度は２００００ｍＰａ・ｓ以下であることを特徴とする請求項１４に記載の半導体モジュール。
【発明の詳細な説明】
【技術分野】
【０００１】
本発明は、光通信等に用いられ、例えば半導体レーザのレーザ光を光ファイバに光結合する光通信用のレンズユニット及び半導体モジュールに関する。
【背景技術】
【０００２】
光通信等において、半導体レーザまたは光受光素子と光ファイバとを効率よく光結合させることが求められている。このため、半導体レーザからの光束を集光するために光結合レンズが用いられている。ところで、従来の光結合レンズでは主にガラスレンズを用いているが、非球面を有するガラスレンズは一般的に高価であり、コスト高を招くという問題がある。そこで、高精度な非球面の成形が容易で大量生産が可能なプラスチック製の光結合レンズが開発されている。
【０００３】
このようなプラスチック製の光結合レンズを、半導体レーザを保持するステム（基部）に取り付ける場合、一般的には接着や溶着の方法が採用される。溶着は、光結合レンズに熱を付与して一部を変形させるため、レンズへの影響を考慮する工夫が必要になる。それに対し接着は、接着剤を塗布することで比較的容易に実現できるから広く用いられている。特許文献１には、レンズと一体化したキャップを半導体レーザの基板に接着する技術が開示されている。
【先行技術文献】
【特許文献】
【０００４】
【特許文献１】特開昭６３−６２２５７号公報
【特許文献２】特開平０６−１０９９０３号公報
【発明の概要】
【発明が解決しようとする課題】
【０００５】
ところで、接着剤を使用する場合、ディスペンサにより適量の接着剤を接着すべき部分に付与しているが、ディスペンサは接着剤の厚みを調整する機能を有しないため、接着剤の塗布量と接着時の押さえる力で厚みを調整することが行われており、接着剤が介在した光結合レンズとステムの間のスキマは、最適な厚みからズレることや、傾き等の発生により全周において偏りが生じる場合がある。このようにスキマが偏ると、レンズの光軸の傾きを招いたり、かかるスキマ内で硬化した接着剤の厚みの不均一を招いたりする。また、余剰に塗布された接着剤が接着部からはみ出し、外観品以上好ましくないという問題がある。一般的な接着剤は、その種類に応じて強度確保に最適な厚みや硬化条件が決まっているので、接着剤の厚みに不均一が生じると接着強度に偏りが生じ、最も脆弱な部分で接着剤の剥がれ等を招き、それにより半導体モジュール内部に封入していた窒素ガス等の漏洩や、レンズが外れる等の不具合を招く恐れがある。
【０００６】
しかるに、特許文献１には、具体的な接着方法が開示されておらず、安定した接着強度をいかにして確保するについて全く言及されていない。これに対し、例えばアクリルやポリカーボネート等のプラスチック材料であれば、比較的接着性が高いので、これらのプラスチック材料を用いれば、接着剤の厚みに或る程度の不均一が生じても接着強度を或る程度確保することができる可能性がある。
【０００７】
ところが、アクリルやポリカーボネート等のプラスチック材料は、吸水性が比較的高いので、光通信用のレンズなどのように屋外で使用する場合には、湿気を遮断する工夫が必要となってコスト増を招くこととなる。これに対し、例えばポリオレフィン系樹脂は、一般的に吸水性が低いため屋外等で使用しても安定した光学性能を発揮できるから、これを光通信用のレンズとして用いたいという要請がある。ところが、ポリオレフィン系樹脂は、その分子構造の殆どがＣ元素とＨ元素からなっており、ＯＨ等の極性基を有していないので、接着性が悪いという問題がある。
【０００８】
これに対し、特許文献２には、ポリオレフィン系樹脂から形成されたレンズを鏡枠に取り付ける際に、レンズに光学膜（ＳｉＯ2）を付与することで、接着性を高める技術が開示されている。しかしながら、レンズに光学膜を付与することで接着性を高めることはできたとしても、接着剤の塗布量が多すぎると、余った接着剤がレンズに回り込んで汚染し、その光学特性や外観品位を悪化させる恐れがある。一方、接着剤の塗布量を少なくすれば、接着剤がレンズに回り込む可能性は減るが、強度不足を招く恐れがある。
【０００９】
本発明は、このような問題点に鑑みてなされたものであり、レンズユニットの脚部の端部を、半導体レーザを支持する基部に対して接着したときに、接着強度を確保しつつ、安定した光学性能を確保できるレンズユニット及びそれを用いた半導体モジュールを提供することを目的とする。
【課題を解決するための手段】
【００１０】
請求項１に記載の光通信用のレンズユニットは、半導体レーザから出射された光束を収束光又は平行光に変換する為の光通信用のレンズユニットであって、
前記レンズユニットは、一体成形されたプラスチック製であり、
前記レンズユニットは、
前記半導体レーザから出射された光束を収束光又は平行光に変換するレンズ部と、
前記レンズ部を保持する脚部とを有し、
前記脚部は、前記半導体レーザを支持する基部に対して、前記脚部の端部の少なくとも一部が接着剤により接着されるものであり、
前記脚部には、前記接着剤が前記脚部から前記レンズ部側に回り込まないように阻止する阻止部を設けていることを特徴とする。
【００１１】
本発明によれば、前記脚部に、前記接着剤が前記脚部から前記レンズ部側に回り込まないように阻止する阻止部を設けているので、前記接着剤を多めに付与した場合でも、余った分の前記接着剤が前記脚部から前記レンズ部側に回り込まないように阻止することができ、前記レンズ部の光学性能を損なうことがない。また、前記接着剤を多めに付与することで、前記脚部と前記基部との接着強度を高めることができる。それゆえに、窒素ガスの漏えいやレンズが外れる等の不具合を防止できるのである。
【００１２】
尚、脚部の端部を基部に当接した状態で脚部の端部付近に接着剤を付与してもよいし、脚部の端部に接着剤を付与した上で基部に当接させてもよいし、基部に接着剤を付与した上で脚部の端部を基部に当接させてもよい。
【００１３】
請求項２に記載のレンズユニットは、請求項1に記載の発明において、前記阻止部は、前記端部側に設けられていることを特徴とする。
【００１４】
本発明によれば、前記阻止部が前記端部側に設けられているので、前記脚部の端部の少なくとも一部を前記基部に接着する際に、なるべく前記端部に近い側で前記接着剤の移動を阻止でき好ましい。
【００１５】
請求項３に記載のレンズユニットは、請求項1または２に記載の発明において、前記脚部は前記レンズ部全周に設けられた筒状の形状を有しており、前記阻止部は、前記脚部の全周に設けられていることを特徴とする。
【００１６】
前記阻止部を、前記脚部の全周に設けることで、前記接着剤を漏れなく捕獲できる。
【００１７】
請求項４に記載のレンズユニットは、請求項３に記載の発明において、前記阻止部は、前記端部に設けられた面取り部であることを特徴とする。
【００１８】
前記面取り部により、前記接着剤を漏れなく捕獲できる。
【００１９】
請求項５に記載のレンズユニットは、請求項１〜４のいずれかに記載の発明において、前記端部より前記レンズ部側であって前記脚部の内周側に設けられた段部であることを特徴とする。
【００２０】
前記脚部の内周側に設けられた段部により、前記脚部を伝わってくる前記接着剤を有効に捕獲できる。
【００２１】
請求項６に記載のレンズユニットは、請求項５に記載の発明において、前記段部は、前記脚部の内周に対して鋭角で交差していることを特徴とする。
【００２２】
前記段部が、前記脚部の内周に対して鋭角で交差していることにより、前記脚部を伝わってくる前記接着剤を有効に捕獲できる。
【００２３】
請求項７に記載のレンズユニットは、請求項１に記載の発明において、前記阻止部は、前記脚部の前記レンズ部近傍に設けられていることを特徴とする。
【００２４】
これにより、万が一前記接着剤が前記脚部を伝わってきた場合でも、最終的に前記レンズ部の手前で捕獲し、それ以上の移動を阻止できる。
【００２５】
請求項８に記載のレンズユニットは、請求項７に記載の発明において、前記阻止部は、前記脚部における前記レンズ部との境界付近に設けられた段部であることを特徴とする。
【００２６】
前記段部により、万が一前記接着剤が前記脚部を伝わってきた場合でも、最終的に前記レンズ部の手前で捕獲し、それ以上の移動を阻止できる。
【００２７】
請求項９に記載のレンズユニットは、請求項７に記載の発明において、前記阻止部は、前記脚部における前記レンズ部との境界付近に設けられた環状の壁部であることを特徴とする。
【００２８】
前記壁部により、万が一前記接着剤が前記脚部を伝わってきた場合でも、最終的に前記レンズ部の手前で捕獲し、それ以上の移動を阻止できる。
【００２９】
請求項１０に記載のレンズユニットは、請求項１または２に記載の発明において、前記脚部は前記レンズ部周辺から光軸方向に延在された複数の突起部であることを特徴とする。
【００３０】
脚部が筒状ではなく、光軸方向に延在された複数の突起部であるため、前記半導体レーザは脚部内に密封されることがない。したがって、脚部内の空間に熱や水分が閉じ込められることを防止でき、前記半導体レーザの性能を長期に安定させることが可能となる。
【００３１】
請求項１１に記載のレンズユニットは、請求項１〜１０のいずれかに記載の発明において、前記レンズユニットは、ポリオレフィン系樹脂から形成されていることを特徴とする。
【００３２】
ポリオレフィン系樹脂は、他の樹脂に比べて湿度に強いため好ましいが、その一方で接着剤による接着力が比較的弱いという欠点がある。その様なポリオレフィン系樹脂であっても、本発明を用いることで強い接着力を確保できるため、湿度に強いポリオレフィン系樹脂からなる光通信用レンズユニットを使用することが可能となる。
【００３３】
請求項１２に記載のレンズユニットは、請求項１〜１１のいずれかに記載の発明において、前記レンズユニットの前記脚部の少なくとも一部には、前記レンズ部と同じ材料のコートが付与されていることを特徴とする。
【００３４】
「少なくとも一部」とは、前記脚部の接着される面積の１０％以上であり、好ましくは５０％以上、より好ましくは８０％以上をいう。尚、コートは反射防止コートであることが好ましい。
【００３５】
これにより、例えばポリオレフィン系樹脂など接着性が悪いプラスチック材料を用いた場合でも、反射防止コート等のコートを介して接着剤と接触することで、前記脚部と前記平面との接着強度を高めることができ、コート膜の密着性と接着強度のいずれかの強度相当で取り付けることが可能となる。
【００３６】
請求項１３に記載のレンズユニットは、請求項１〜１２のいずれかに記載の発明において、前記レンズユニットと前記基部との間に不活性ガスが封入されていることを特徴とする。
【００３７】
請求項１４に記載の半導体モジュールは、請求項１〜１３のいずれかに記載の光通信用のレンズユニットと、半導体レーザを一体的に組み付けてなることを特徴とする。
【００３８】
請求項１５に記載の半導体モジュールは、請求項１４に記載の発明において、前記接着剤の粘度は２００００ｍＰａ・ｓ以下であることを特徴とする。
【００３９】
粘度が２００００ｍＰａ・ｓ以下であるような流動性の高い（低粘度の）接着剤を使用することで、ディスペンサより接着部に塗布された接着剤が均一に広がり、安定した接着強度が実現できる。前記接着剤の粘度は、より好ましくは２０００から１８０００ｍＰａ・ｓ以内がよい。流動性が高すぎない（粘度が低すぎない）ようにすることで、広がりすぎを抑えることができ、また、比較的流動性が高い（低粘度の）接着剤の場合のほうが、本発明の効果が顕著に現れるからである。
【００４０】
半導体レーザとは、半導体の再結合発光を利用したレーザである。
【００４１】
レンズユニットとは、半導体レーザから出射された光束を収束光又は平行光に変換するレンズユニット、光ファイバの端面から出射された光束を集光するレンズユニット、特に半導体レーザから出射された光束を光ファイバの端面に集光する光結合レンズユニットや、光ファイバの端面から出射された光束を受光素子の受光面に集光する光結合レンズユニットを含む。レンズユニットはプラスチック製である。
【００４２】
また、レンズユニットを構成するプラスチック材料として、ポリオレフィン系樹脂を用いることが好ましく、環状オレフィン系の樹脂材料を使用するのがより好ましい。また、当該樹脂材料は、波長４０５ｎｍから１６００ｎｍに対する温度２５℃ での屈折率が１．４０乃至１．６０の範囲内であって、−５℃から７０℃の温度範囲内での温度変化に伴う屈折率変化率ｄＮ／ｄＴ（℃ -1） が−２０×１０-5乃至−５×１０-5（より好ましくは、−１０×１０-5乃至−８×１０-5）の範囲内である樹脂材料を使用するのがより好ましい。
【００４３】
環状オレフィン系樹脂の好ましい例を幾つか、以下に示す。
【００４４】
第１の好ましい例は、下記式（I）で表される繰り返し単位〔１〕を含有する重合体ブロック〔Ａ〕と、下記式（１）で表される繰り返し単位〔１〕並びに下記式（II）で表される繰り返し単位〔２〕または／および下記式（III）で表される繰り返し単位〔３〕を含有する重合体ブロック〔Ｂ〕とを有し、前記ブロック〔Ａ〕中の繰り返し単位〔１〕のモル分率ａ（モル％）と、前記ブロック〔Ｂ〕中の繰り返し単位〔１〕のモル分率ｂ（モル％）との関係がａ＞ｂであるブロック共重合体からなる樹脂組成物である。
【００４５】
【化１】
2013207189.tif 000003
【００４６】
（式中、Ｒ1 は水素原子、または炭素数１〜２０のアルキル基を表し、Ｒ2−Ｒ12はそれぞれ独立に、水素原子、炭素数１〜２０のアルキル基、ヒドロキシル基、炭素数１〜２０のアルコキシ基、またはハロゲン基である。）
【００４７】
【化２】
2013207189.tif 000004
【００４８】
（式中、Ｒ13は、水素原子、または炭素数１〜２０のアルキル基を表す。）
【００４９】
【化３】
2013207189.tif 000005
【００５０】
（式中、Ｒ14およびＲ15はそれぞれ独立に、水素原子、または炭素数１〜２０のアルキル基を表す。）
【００５１】
次に、第２の好ましい例は、少なくとも炭素原子数２〜２０のα−オレフィンと下記一般式（ＩＶ）で表される環状オレフィンからなる単量体組成物とを付加重合させることにより得られる重合体（Ａ）と、炭素原子数２〜２０のα−オレフィンと下記一般式（Ｖ）で表される環状オレフィンからなる単量体組成物とを付加重合させることにより得られる重合体（Ｂ）とを含む樹脂組成物である。
【００５２】
【化４】
2013207189.tif 000006
【００５３】
〔式中、ｎは０または１であり、ｍは０または１以上の整数であり、ｑは０または１であり、Ｒ1〜Ｒ18、Ｒa及びＲbは、それぞれ独立に水素原子、ハロゲン原子または炭化水素基であり、Ｒ15〜Ｒ18は互いに結合して単環または多環を形成していてもよく、括弧内の単環または多環が二重結合を有していてもよく、またＲ15とＲ16と、またはＲ17とＲ18とでアルキリデン基を形成していてもよい。〕
【００５４】
【化５】
2013207189.tif 000007
【００５５】
〔式中、Ｒ19〜Ｒ26はそれぞれ独立に水素原子、ハロゲン原子または炭化水素基である。〕
【００５６】
樹脂材料に更なる性能を付加するために、以下のような添加剤を添加してもよい。
【００５７】
（安定剤）
フェノール系安定剤、ヒンダードアミン系安定剤、リン系安定剤及びイオウ系安定剤から選ばれた少なくとも１種の安定剤を添加することが好ましい。これらの安定剤を適宜選択し添加することで、光を継続的に照射した場合の白濁や、屈折率の変動等の光学特性変動をより高度に抑制することができる。
【００５８】
好ましいフェノール系安定剤としては、従来公知のものが使用でき、例えば、２−ｔ−ブチル−６−（３−ｔ−ブチル−２−ヒドロキシ−５−メチルベンジル）−４−メチルフェニルアクリレート、２，４−ジ−ｔ−アミル−６−（１−（３，５−ジ−ｔ−アミル−２−ヒドロキシフェニル）エチル）フェニルアクリレートなどの特開昭６３−１７９９５３号公報や特開平１−１６８６４３号公報に記載されるアクリレート系化合物；オクタデシル−３−（３，５−ジ−ｔ−ブチル−４−ヒドロキシフェニル）プロピオネート、２，２′−メチレン−ビス（４−メチル−６−ｔ−ブチルフェノール）、１，１，３−トリス（２−メチル−４−ヒドロキシ−５−ｔ−ブチルフェニル）ブタン、１，３，５−トリメチル−２，４，６−トリス（３，５−ジ−ｔ−ブチル−４−ヒドロキシベンジル）ベンゼン、テトラキス（メチレン−３−（３′，５′−ジ−ｔ−ブチル−４′−ヒドロキシフェニルプロピオネート））メタン［すなわち、ペンタエリスリメチル−テトラキス（３−（３，５−ジ−ｔ−ブチル−４−ヒドロキシフェニルプロピオネート））］、トリエチレングリコールビス（３−（３−ｔ−ブチル−４−ヒドロキシ−５−メチルフェニル）プロピオネート）などのアルキル置換フェノール系化合物；６−（４−ヒドロキシ−３，５−ジ−ｔ−ブチルアニリノ）−２，４−ビスオクチルチオ−１，３，５−トリアジン、４−ビスオクチルチオ−１，３，５−トリアジン、２−オクチルチオ−４，６−ビス−（３，５−ジ−ｔ−ブチル−４−オキシアニリノ）−１，３，５−トリアジンなどのトリアジン基含有フェノール系化合物；などが挙げられる。
【００５９】
また、好ましいヒンダードアミン系安定剤としては、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（Ｎ−オクトキシ−２，２，６，６−テトラメチル−４−ピペリジル）セバケート、ビス（Ｎ−ベンジルオキシ−２，２，６，６−テトラメチル−４−ピペリジル）セバケート、ビス（Ｎ−シクロヘキシルオキシ−２，２，６，６−テトラメチル−４−ピペリジル）セバケート、ビス（１，２，２，６，６−ペンタメチル−４−ピペリジル）２−（３，５−ジ−ｔ−ブチル−４−ヒドロキシベンジル）−２−ブチルマロネート、ビス（１−アクロイル−２，２，６，６−テトラメチル−４−ピペリジル）２，２−ビス（３，５−ジ−ｔ−ブチル−４−ヒドロキシベンジル）−２−ブチルマロネート、ビス（１，２，２，６，６−ペンタメチル−４−ピペリジル）デカンジオエート、２，２，６，６−テトラメチル−４−ピペリジルメタクリレート、４−［３−（３，５−ジ−ｔ−ブチル−４−ヒドロキシフェニル）プロピオニルオキシ］−１−［２−（３−（３，５−ジ−ｔ−ブチル−４−ヒドロキシフェニル）プロピオニルオキシ）エチル］−２，２，６，６−テトラメチルピペリジン、２−メチル−２−（２，２，６，６−テトラメチル−４−ピペリジル）アミノ−Ｎ−（２，２，６，６−テトラメチル−４−ピペリジル）プロピオンアミド、テトラキス（２，２，６，６−テトラメチル−４−ピペリジル）１，２，３，４−ブタンテトラカルボキシレート、テトラキス（１，２，２，６，６−ペンタメチル−４−ピペリジル）１，２，３，４−ブタンテトラカルボキシレート等が挙げられる。
【００６０】
また、好ましいリン系安定剤としては、一般の樹脂工業で通常使用される物であれば格別な限定はなく、例えば、トリフェニルホスファイト、ジフェニルイソデシルホスファイト、フェニルジイソデシルホスファイト、トリス（ノニルフェニル）ホスファイト、トリス（ジノニルフェニル）ホスファイト、トリス（２，４−ジ−ｔ−ブチルフェニル）ホスファイト、１０−（３，５−ジ−ｔ−ブチル−４−ヒドロキシベンジル）−９，１０−ジヒドロ−９−オキサ−１０−ホスファフェナントレン−１０−オキサイドなどのモノホスファイト系化合物；４，４′−ブチリデン−ビス（３−メチル−６−ｔ−ブチルフェニル−ジ−トリデシルホスファイト）、４，４′イソプロピリデン−ビス（フェニル−ジ−アルキル（Ｃ１２〜Ｃ１５）ホスファイト）などのジホスファイト系化合物などが挙げられる。これらの中でも、モノホスファイト系化合物が好ましく、トリス（ノニルフェニル）ホスファイト、トリス（ジノニルフェニル）ホスファイト、トリス（２，４−ジ−ｔ−ブチルフェニル）ホスファイトなどが特に好ましい。
【００６１】
また、好ましいイオウ系安定剤としては、例えば、ジラウリル３，３−チオジプロピオネート、ジミリスチル３，３′−チオジプロピピオネート、ジステアリル ３，３−チオジプロピオネート、ラウリルステアリル３，３−チオジプロピオネート、ペンタエリスリトール−テトラキス−（β−ラウリル−チオ）−プロピオネート、３，９−ビス（２−ドデシルチオエチル）−２，４，８，１０−テトラオキサスピロ［５，５］ウンデカンなどが挙げられる。
【００６２】
これらの各安定剤の配合量は、本発明の目的を損なわれない範囲で適宜選択されるが、脂環式炭化水素系共重合体１００質量部に対して通常０．０１〜２質量部、好ましくは０．０１〜１質量部であることが好ましい。
【００６３】
（界面活性剤）
界面活性剤は、同一分子中に親水基と疎水基とを有する化合物である。界面活性剤は樹脂表面への水分の付着や上記表面からの水分の蒸発の速度を調節することで、樹脂組成物の白濁を防止することが可能となる。
【００６４】
界面活性剤の親水基としては、具体的には、ヒドロキシ基、炭素数１以上のヒドロキシアルキル基、ヒドロキシル基、カルボニル基、エステル基、アミノ基、アミド基、アンモニウム塩、チオール、スルホン酸塩、リン酸塩、ポリアルキレングリコール基などが挙げられる。ここで、アミノ基は１級、２級、３級のいずれであってもよい。界面活性剤の疎水基としては、具体的に炭素数６以上のアルキル基、炭素数６以上のアルキル基を有するシリル基、炭素数６以上のフルオロアルキル基などが挙げられる。ここで、炭素数６以上のアルキル基は置換基として芳香環を有していてもよい。アルキル基としては、具体的にヘキシル、ヘプチル、オクチル、ノニル、デシル、ウンデセニル、ドデシル、トリデシル、テトラデシル、ミリスチル、ステアリル、ラウリル、パルミチル、シクロヘキシルなどが挙げられる。芳香環としてはフェニル基などが挙げられる。この界面活性剤は、上記のような親水基と疎水基とをそれぞれ同一分子中に少なくとも１個ずつ有していればよく、各基を２個以上有していてもよい。
【００６５】
このような界面活性剤としては、より具体的には、例えば、ミリスチルジエタノールアミン、２−ヒドロキシエチル−２−ヒドロキシドデシルアミン、２−ヒドロキシエチル−２−ヒドロキシトリデシルアミン、２−ヒドロキシエチル−２−ヒドロキシテトラデシルアミン、ペンタエリスリトールモノステアレート、ペンタエリスリトールジステアレート、ペンタエリスリトールトリステアレート、ジ−２−ヒドロキシエチル−２−ヒドロキシドデシルアミン、アルキル（炭素数８〜１８）ベンジルジメチルアンモニウムクロライド、エチレンビスアルキル（炭素数８〜１８）アミド、ステアリルジエタノールアミド、ラウリルジエタノールアミド、ミリスチルジエタノールアミド、パルミチルジエタノールアミド、などが挙げられる。これらのうちでも、ヒドロキシアルキル基を有するアミン化合物またはアミド化合物が好ましく用いられる。本発明では、これら化合物を２種以上組合わせて用いてもよい。
【００６６】
界面活性剤は、温度、湿度の変動に伴なう成形物の白濁を効果的に抑え、成形物の光透過率を高く維持するという観点から、脂環式炭化水素系重合体１００質量部に対して０．０１〜１０質量部添加されることが好ましい。界面活性剤の添加量は脂環式炭化水素系重合体１００質量部に対して０．０５〜５質量部とすることがより好ましく、０．３〜３質量部とすることが更に好ましい。
【００６７】
（可塑剤）
可塑剤は共重合体のメルトインデックスを調節するため、必要に応じて添加される。
【００６８】
可塑剤としては、アジピン酸ビス（２−エチルヘキシル）、アジピン酸ビス（２−ブトキシエチル）、アゼライン酸ビス（２−エチルヘキシル）、ジプロピレングリコールジベンゾエート、クエン酸トリ−ｎ−ブチル、クエン酸トリ−ｎ−ブチルアセチル、エポキシ化大豆油、２−エチルヘキシルエポキシ化トール油、塩素化パラフィン、リン酸トリ−２−エチルヘキシル、リン酸トリクレジル、リン酸−ｔ−ブチルフェニル、リン酸トリ−２−エチルヘキシルジフェニル、フタル酸ジブチル、フタル酸ジイソヘキシル、フタル酸ジヘプチル、フタル酸ジノニル、フタル酸ジウンデシル、フタル酸ジ−２−エチルヘキシル、フタル酸ジイソノニル、フタル酸ジイソデシル、フタル酸ジトリデシル、フタル酸ブチルベンジル、フタル酸ジシクロヘキシル、セバシン酸ジ−２−エチルヘキシル、トリメリット酸トリ−２−エチルヘキシル、Ｓａｎｔｉｃｉｚｅｒ ２７８、Ｐａｒａｐｌｅｘ Ｇ４０、Ｄｒａｐｅｘ ３３４Ｆ、Ｐｌａｓｔｏｌｅｉｎ ９７２０、Ｍｅｓａｍｏｌｌ、ＤＮＯＤＰ−６１０、ＨＢ−４０等の公知のものが適用可能である。可塑剤の選定及び添加量の決定は、共重合体の透過性や環境変化に対する耐性を損なわないことを条件に適宜行なわれる。
【００６９】
これらの樹脂としては、シクロオレフィン樹脂が好適に用いられ、具体的には、日本ゼオン社製のＺＥＯＮＥＸや、三井化学社製のＡＰＥＬ、ＴＯＰＡＳ ＡＤＶＡＮＣＥＤ ＰＯＬＹＭＥＲＳ社製のＴＯＰＡＳ、ＪＳＲ社製ＡＲＴＯＮなどが好ましい例として挙げられる。
【００７０】
また、レンズユニットを構成する材料のアッベ数は、５０以上であることが好ましい。
【発明の効果】
【００７１】
本発明によれば、レンズユニットの脚部の端部を、半導体レーザを支持する基部に対して接着したときに、接着強度を確保しつつ、安定した光学性能を確保できるレンズユニット及びそれを用いた半導体モジュールを提供することができる。
【図面の簡単な説明】
【００７２】
【図１】（ａ）は、本実施の形態にかかる光通信用の半導体モジュールＬＭの光軸方向断面で示す組み立て図である。（ｂ）は、レンズユニットＬＳＵの脚部ＬＧの端部拡大図である。
【図２】本実施の形態にかかる光通信用の半導体モジュールＬＭの光軸方向断面図である。
【図３】変形例にかかる脚部ＬＧの端部を拡大して示す断面図である。
【図４】本実施例に対応する図1の構成のIV部を拡大して示す図である。
【発明を実施するための形態】
【００７３】
以下、本発明の実施の形態を図面に基づいて説明する。図１は、本実施の形態にかかる光通信用の半導体モジュールＬＭの光軸方向断面で示す組み立て図である。図２は、本実施の形態にかかる光通信用の半導体モジュールＬＭの光軸方向断面図である。半導体モジュールＬＭは、半導体レーザユニットＬＤＵに、キャップ型のプラスチック製レンズユニットＬＳＵを接着することで形成されている。
【００７４】
図１、２に示すように、ＴＯ−ＣＡＮタイプの半導体レーザユニットＬＤＵは、金属製の金属であるＳＰＣ材にニッケルメッキ及び金メッキを施された平板状のステム部（基部）ＳＴと、そのステム部ＳＴ上の中央に配置されるサブマウントＳＭと、サブマウントＳＭ上に配置される半導体レーザチップＣＰと,ステム部ＳＴにそれぞれ一端が取り付けられた４本のリードＬＤ（１本はサブマウントＳＭのベースに接続され、２本は半導体レーザチップＣＰに接続され、残り１本は不図示のモニタに接続される）とを有する。
【００７５】
レンズユニットＬＳＵは、透明なポリオレフィン系樹脂を一体成形することで得られ、中央のレンズ部ＬＳと、その周囲でレンズ部ＬＳを保持する形の円筒状脚部ＬＧとからなる。特に, レンズユニットＬＳＵのレンズ部ＬＳの光学機能面全体及び脚部ＬＧの当接平面（当接部）ＥＤ１の少なくとも一部（好ましくは全部）には、反射防止コート（例えばＳｉＯ2）が施されている。レンズユニットＬＳＵの円筒状脚部内側の空間内には、不活性ガスとして窒素ガスが封入されている。
【００７６】
脚部ＬＧの端部は、図１（ｂ）に示すように、レンズ部ＬＳの光軸に直交するように配置された当接平面（当接部）ＥＤ１と、脚部ＬＧの内周面ＩＰと当接平面ＥＤ１との交差部全周に設けられた幅０．０１ｍｍ〜０．５ｍｍ、高さ０．０１ｍｍ〜０．５ｍｍ程度の内周面取り部ＥＤ２と、脚部ＬＧの外周面ＯＰと当接平面ＥＤ１との交差部全周に設けられた幅０．０１ｍｍ〜０．５ｍｍ、高さ０．０１ｍｍ〜０．５ｍｍ程度の外周面取り部ＥＤ３とを有する。ここでは、内周面取り部ＥＤ２が阻止部を構成する。
【００７７】
組み付け時には、窒素ガス雰囲気中で、図１（ａ）に示すように、レンズユニットＬＳＵの脚部ＬＧを、その他の部品が組み付けられたステム部（基部）ＳＴに接近させ、ステム部（基部）ＳＴの上面である平面ＦＰに当接平面ＥＤ１を当接させる。このとき、当接平面ＥＤ１は全周で平面ＦＰに当接するので、これにより半導体レーザチップＣＰの軸線とレンズ部ＬＳの光軸を平行に合わせることができる。
【００７８】
かかる状態で、半導体レーザチップＣＰの中心とレンズ部ＬＳの光軸を合わせるように位置調整した後、外方に配置したディスペンサＤＰより、適量の接着剤ＢＮＤを脚部ＬＧの全周に塗布する。ここで適量とは、外周面取り部ＥＤ３と平面ＦＰとの全周空間（容積）が満たされる接着剤の量であるが、若干多くても良い。特に均一な接着厚みを実現するためには流動性の高い接着剤（粘度２００００ｍＰａ・ｓ以下）を使用することが好ましく、これによりディスペンサＤＰより滴下された接着剤ＢＮＤは脚部ＬＧの全周に容易に広げることが可能となる。高流動の接着剤の場合、当接平面ＥＤ１と平面ＦＰの間のスキマから浸み込んで、脚部ＬＧの内周面ＩＰ側に接着剤が回り込むことがあるが、本実施の形態によれば、内周面取り部ＥＤ２により回り込んできた接着剤を捕獲して、レンズ部ＬＳに至ることを阻止して汚染等を回避できる。接着剤が固化することで、脚部ＬＧとステム部ＳＴとを接着できる。また、外周面取り部ＥＤ３が接着面積を増加させる為、脚部ＬＧとステム部ＳＴの接着力がより強固なものとなる。
【００７９】
本実施の形態の半導体モジュールＬＭの動作を説明する。図２において、リードＬＤを介して給電が行われると半導体レーザチップＣＰが発光し、その出射光束は、レンズ部ＬＳに入射する。レンズ部ＬＳに入射した光束は、屈折面で屈折して収束光（又は平行光）として出射し、対向する光ファイバＯＦの端面に集光し、その後光ファイバＯＦ内を伝播することとなる。
【００８０】
本実施の形態によれば、脚部ＬＧに設けた当接平面ＥＤ１がステム部ＳＴの平面ＦＰに当接したときに、外周面取り部ＥＤ３が、平面ＦＰとの間で、塗布された接着剤の厚みのバラツキを全周で所定範囲内に設定するので、これにより接着剤の厚みを略一定に設定でき、脚部ＬＧとステム部ＳＴとの安定した接着強度を確保できる。又、外周面取り部ＥＤ３や当接平面ＥＤ１に反射防止コートを施すことで、レンズユニットＬＳＵをポリオレフィン系樹脂から形成しても、より強力な接着強度を確保できる。更に、阻止部としての内周面取り部ＥＤ２が、脚部ＬＧの内周側に回り込んできた接着剤を捕獲して、レンズ部ＬＳに至ることを阻止して汚染等を回避できる。
【００８１】
図３（ａ）は、変形例にかかる脚部ＬＧの端部を拡大して示す断面図である。本変形例では、外周面取り部ＥＤ３の外周側に接続して段部ＳＴ２を設け、また内周面取り部ＥＤ１の内周側に接続して段部ＳＴ１を設けた点が異なる。本変形例によれば、阻止部としての段部ＳＴ１を設けることで、接着剤の捕獲力が一層高まる。
【００８２】
図３（ｂ）は、別な変形例にかかる脚部ＬＧの端部を拡大して示す断面図である。本変形例では、外周面取り部の代わりに、脚部ＬＧの端部外周エッジに断面矩形状の溝ＥＤ5を設け、内周面取り部の代わりに、脚部ＬＧの端部内周エッジに断面矩形状の溝ＥＤ４を設けている。本変形例によれば、阻止部としての溝ＥＤ４を設けることで、接着剤の収容量が高まり、多量の接着剤を捕獲できる。
【００８３】
図３（ｃ）は、別な変形例にかかる脚部ＬＧの端部を拡大して示す断面図である。本変形例では、面取り部に加えて、脚部ＬＧの端面よりレンズ部ＬＳ側に所定距離シフトした位置において、脚部ＬＧの内周面ＩＰ側全周に段部ＳＴ１を設けている。本変形例によれば、追加の阻止部としての段部ＳＴ１を設けることで、接着剤の付与量が多すぎた場合に、内周面取り部ＥＤ２からあふれた接着剤が内周ＩＰ側に回り込んできたときに、これを捕獲できる。なお、図3（ｄ）に示すように、脚部ＬＧの端面よりレンズ部ＬＳ側に所定距離シフトした位置において、脚部の外周面ＯＰ側に段部ＳＴ２を設けてもよい。
【００８４】
図３（ｅ）は、別な変形例にかかる脚部ＬＧの端部を拡大して示す断面図である。本変形例では、段部ＳＴ1を内周面ＩＰに対して鋭角で接続している。本変形例によれば、阻止部としての段部ＳＴ1を内周面ＩＰに対して鋭角で接続することで、接着剤の捕獲力が高まる。
【００８５】
図３（ｆ）は、別な変形例にかかる脚部ＬＧの端部を拡大して示す断面図である。本変形例では、段部ＳＴ1よりレンズ部ＬＳ（図で上方）側の内周面ＩＰ‘を傾斜させている（円錐面としている）。
【００８６】
図４（ａ）は、図1の構成のIV部を拡大して示す図である。上述した実施の形態において、阻止部は十分な接着剤の捕獲力を有するが、塗布された接着剤が多量である場合など、万が一阻止部を超えて接着剤が回り込んで内周面ＩＰを伝わってきたときに、脚部ＬＧとレンズ部ＬＳとの境界Ｐを超えて、レンズ部ＬＳに至る恐れもある。以下の実施の形態は、かかる万が一の不具合に対する解決策を提供する。
【００８７】
図４（ｂ）に示す実施の形態は、脚部ＬＧとレンズ部ＬＳとの境界Ｐで、脚部ＬＧに対してレンズ部ＬＳが、下方にシフトして段部ＳＴ3を全周に形成している。本実施の形態によれば、最終の阻止部としての段部ＳＴ３を境界Ｐに設けることで、万が一境界Ｐまで接着剤が回り込んできた場合でも、レンズ部ＬＳへの移動を阻止できる。なお、図４（ｃ）に示すように、段部ＳＴ3を傾斜させてもよい。
【００８８】
図４（ｄ）に示す変形例においては、脚部ＬＧとレンズ部ＬＳとの境界Ｐにおいて、環状の壁ＷＬを全周に設けている。本変形例によれば、最終の阻止部としての環状の壁ＷＬを境界Ｐに設けることで、万が一境界Ｐまで接着剤が回り込んできた場合でも、レンズ部ＬＳへの移動を阻止できる。
【産業上の利用可能性】
【００８９】
本発明は、明細書に記載の実施例に限定されるものではなく、他の実施例・変形例を含むことは、本明細書に記載された実施例や思想から本分野の当業者にとって明らかである。例えば、レンズユニットの脚部でなく、ステム部側に凹凸を形成して、脚部の一部を当接させるようにしても良い。
【符号の説明】
【００９０】
ＣＰ 半導体レーザチップ
ＤＰ ディスペンサ
ＥＤ１ 当接平面
ＥＤ２ 内周側面取り部
ＥＤ３ 外周側面取り部
ＥＤ４ 溝
ＥＤ５ 溝
ＦＰ 上面
ＩＥ 内周縁
ＩＰ 内周面
ＬＤ リード
ＬＤＵ 半導体レーザユニット
ＬＧ 脚部
ＬＭ 半導体モジュール
ＬＳ レンズ部
ＬＳＵ レンズユニット
ＯＥ 外周縁
ＯＦ 光ファイバ
ＯＰ 外周面
ＳＭ サブマウント
ＳＴ ステム部
ＳＴ１ 段部
ＳＴ２ 段部
ＳＴ３ 段部
ＷＬ 環状の壁
【図１】
2013207189.tif 000008
【図２】
2013207189.tif 000009
【図３】
2013207189.tif 000010
【図４】
2013207189.tif 000011